(57)【要約】【課題】発光装置の電極において発光部の外部に引き出された部分である電極端子部の屈曲性を向上する。【解決手段】発光装置１００は、可撓性の基材１１０と、基材１１０に設けられた発光部１２０と、基材１１０に設けられ発光部１２０に電流を供給するために発光部１２０から基材１１０の端部に向かって引き出された電極端子部１３、１５と、を有する。電極端子部１３、１５は、それぞれ全体が一体の導電パターンからなる。電極端子部１３、１５を第１の方向に切断した断面内に複数の開口が含まれる。【選択図】図１
2015053182.tif 000002
【特許請求の範囲】
【請求項１】
可撓性の基材と、
前記基材に設けられた発光部と、
前記基材に設けられ、前記発光部に電流を供給するために前記発光部から前記基材の端部に向かって引き出された電極端子部と、
を有し、
前記電極端子部は、その全体が一体の導電パターンからなり、
前記電極端子部を第１の方向に切断した断面内に複数の開口が含まれる発光装置。
【請求項２】
前記発光部は第１の電極と第２の電極とを有し、
前記第１の電極に接続された第１の前記電極端子部と、前記第２の電極に接続された第２の前記電極端子部と、が前記基材の一の辺に沿って配置されている請求項１に記載の発光装置。
【請求項３】
金属膜からなる前記電極端子部を有している請求項１または２に記載の発光装置。
【請求項４】
透明導電膜からなる前記電極端子部を有している請求項１または２に記載の発光装置。
【発明の詳細な説明】
【技術分野】
【０００１】
本発明は、発光装置に関する。
【背景技術】
【０００２】
有機ＥＬ（Ｅｌｅｃｔｒｏ  Ｌｕｍｉｎｅｓｃｅｎｃｅ）発光装置等の発光装置としては、可撓性（フレキシブル性）を有するタイプのものがある。
【０００３】
特許文献１には、有機ＥＬ発光装置の可撓性を向上するため発光部の表裏の陽極および陰極を構成する電極層をストライプ形状とし、隣り合うストライプ形状の間の領域の可撓性を向上する技術が記載されている。
【０００４】
また、特許文献２には、発光部に形成される電磁シールド層を網目状や格子状のパターンとすることにより有機ＥＬ発光装置の可撓性を担保する技術が記載されている。
【０００５】
また、特許文献３には、発光部の輝度を向上するため、発光部の上面電極や裏面電極を格子状、網目状、あるいはストライプ状に形成する技術が記載されている。
【先行技術文献】
【特許文献】
【０００６】
【特許文献１】特開２００８−４６５６５号公報
【特許文献２】特開平１０−２２０７０号公報
【特許文献３】特開２００４−２５９６０２号公報
【発明の概要】
【発明が解決しようとする課題】
【０００７】
特許文献１〜３の技術は何れも、発光部に形成される導体層を格子状、網目状、あるいはストライプ状に形成する技術である。
【０００８】
有機ＥＬ発光装置等の発光装置の電極は、発光部に位置する部分だけでなく、発光部の外部に引き出された部分である電極端子部も有している。本願発明者の検討によれば、電極端子部も、発光装置の可撓性を阻害する要因となる。
【０００９】
また、有機ＥＬ発光装置等の発光装置の電極の材料は、例えば、金属材料（Ａｇ、Ａｌ等）、又は金属酸化物導電体材料（ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）等）である。電極において発光部に位置する部分は、有機層に覆われているため、屈曲時の割れが抑制されている。しかし、電極において発光部の外部に引き出された部分である電極端子部は露出しているため、屈曲時に割れやすい。
【００１０】
本発明が解決しようとする課題としては、発光装置の電極において発光部の外部に引き出された部分である電極端子部の屈曲性を向上することが一例として挙げられる。
また、本発明が解決しようとする課題としては、発光装置の電極において発光部の外部に引き出された部分である電極端子部の割れを抑制することが他の一例として挙げられる。
【課題を解決するための手段】
【００１１】
請求項１に記載の発明は、
可撓性の基材と、
前記基材に設けられた発光部と、
前記基材に設けられ、前記発光部に電流を供給するために前記発光部から前記基材の端部に向かって引き出された電極端子部と、
を有し、
前記電極端子部は、その全体が一体の導電パターンからなり、
前記電極端子部を第１の方向に切断した断面内に複数の開口が含まれる発光装置である。
【図面の簡単な説明】
【００１２】
【図１】図１（ａ）は実施形態に係る発光装置の平面図、図１（ｂ）は図１（ａ）のＢ部の拡大図である。
【図２】図２（ａ）は実施例１に係る発光装置の平面図、図２（ｂ）は図２（ａ）のＢ部の拡大図である。
【図３】図２（ａ）のＡ−Ａ線に沿った断面図である。
【図４】有機機能層の層構造の第１例を示す断面図である。
【図５】有機機能層の層構造の第２例を示す断面図である。
【図６】実施例２に係る発光装置の平面図である。
【図７】図７（ａ）は図６のＡ−Ａ線に沿った断面図、図７（ｂ）は図６のＢ−Ｂ線に沿った断面図である。
【図８】実施例３に係る発光装置の電極端子部の平面図である。
【図９】実施例４に係る発光装置の平面図である。
【図１０】実施例５に係る発光装置の平面図である。
【図１１】図１１（ａ）は実施例６に係る発光装置の電極端子部の平面図、図１１（ｂ）は実施例７に係る発光装置の電極端子部の平面図である。
【図１２】図１２（ａ）は実施例８に係る発光装置の電極端子部の平面図、図１２（ｂ）は実施例９に係る発光装置の電極端子部の平面図である。
【図１３】実施例１０に係る発光装置の平面図である。
【図１４】図１４（ａ）は図１３のＡ−Ａ線に沿った断面図、図１４（ｂ）は図１３のＢ−Ｂ線に沿った断面図である。
【図１５】実施例１１に係る発光装置の平面図である。
【発明を実施するための形態】
【００１３】
以下、実施の形態について、図面を用いて説明する。尚、すべての図面において、同様の構成要素には同一の符号を付し、適宜説明を省略する。
【００１４】
図１（ａ）は実施形態に係る発光装置１００の平面図、図１（ｂ）は図１（ａ）のＢ部の拡大図である。本実施形態に係る発光装置１００は、可撓性の基材１１０と、基材１１０に設けられた発光部１２０と、基材１１０に設けられ発光部１２０に電流を供給するために発光部１２０から基材１１０の端部に向かって引き出された電極端子部１３、１５と、を有する。電極端子部１３、１５は、それぞれ全体が一体の導電パターンからなる。電極端子部１３を第１の方向に切断した断面内（例えば図１（ｂ）のＣ−Ｃ線に沿って切断した断面内）に複数の開口（後述する空白部１７からなる）が含まれる。また、電極端子部１５を第１の方向に切断した断面内（例えば図１（ｂ）のＣ−Ｃ線に沿って切断した断面内）に複数の開口（後述する空白部１７からなる）が含まれる。なお、電極端子部１３についての第１の方向と、電極端子部１５についての第１の方向とは、同じ方向であっても良いし、互いに異なる方向であっても良い。発光装置１００は、例えばディスプレイ、照明装置、又は光通信装置の光源として用いることができる。
【００１５】
以下においては、説明を簡単にするため、発光装置１００の各構成要素の位置関係（上下関係等）が各図に示す関係であるものとして説明を行う場合がある。ただし、この説明における位置関係は、発光装置１００の使用時や製造時の位置関係とは無関係である。
【００１６】
本実施形態に係る発光装置１００は、有機ＥＬ（Ｅｌｅｃｔｒｏ  Ｌｕｍｉｎｅｓｃｅｎｃｅ）発光装置或いはその他の、可撓性の面発光装置である。発光装置１００の平面形状は特に限定されない。発光装置１００の平面形状（基材１１０の平面形状）は多角形、円形、楕円形、或いはその他の任意の形状とすることができる。一例として、図１（ａ）には、発光装置１００の平面形状が矩形状である場合を図示している。
【００１７】
基材１１０は、例えばガラスや樹脂など可撓性（フレキシブル性）を有する板状部材であり、任意に屈曲できるようになっている。なお、基材１１０は、透光性のフィルムであっても良い。基材１１０は、例えば、透光性を有する。
【００１８】
例えば、基材１１０における下側の面は、光取り出し面となっており、光放出空間を充たす空気（屈折率１）と接している。なお、基材１１０には、その下側の面を覆う光取り出しフィルム（図示略）が設けられ、この光取り出しフィルムにおける下側の面が光取り出し面を構成していても良い。
【００１９】
発光部１２０は、基材１１０の一方の面上に設けられている。発光部１２０は、電極端子部１３、１５を介して発光部１２０に印加される電流により発光する。基材１１０は透光性であるため、発光部１２０から基材１１０側に放射された光の一部は、基材１１０を透過して発光装置１００の外部に放射される。
なお、発光装置１００は、発光部１２０からの光を基材１１０側とは反対側から外部へ放射するように構成されていても良い。この場合、基材１１０は透光性でなくても良い。
【００２０】
図１（ｂ）に示すように、電極端子部１３は、導電材料により全体が一体に形成された実体部１６と、実体部１６に形成された空白部１７と、を含んで構成されている。実体部１６は、導電材料により形成された薄膜である。図１（ｂ）の例では、空白部１７は、実体部１６に形成された複数の開口部である。ただし、空白部１７は、実体部１６に形成された切欠形状部であっても良い。
【００２１】
また、電極端子部１５も、電極端子部１３と同様に、導電材料により全体が一体に形成された実体部１６と、実体部１６に形成された空白部１７と、を含んで構成されている。
【００２２】
電極端子部１３をある位置で切断した断面内（例えば図１（ｂ）のＣ−Ｃ線に沿って切断した断面内）には、複数の開口（開口は空白部１７からなる）が含まれる。同様に、電極端子部１５をある位置で切断した断面内（例えば図１（ｂ）のＣ−Ｃ線に沿って切断した断面内）には、複数の開口（開口は空白部１７からなる）が含まれる。
【００２３】
このため、電極端子部１３、１５が複数の開口を含まない場合と比べて、電極端子部１３、１５の単位面積当たりの剛性が低減するので、電極端子部１３、１５の屈曲性が向上し、ひいては発光装置１００全体の可撓性が向上する。
また、電極端子部１３、１５の単位面積当たりの剛性が低減することにより、発光装置１００の屈曲時における電極端子部１３、１５の割れの発生を抑制することができる。
【００２４】
なお、電極端子部１３の実体部１６を構成する導電材料と、電極端子部１５の実体部１６を構成する導電材料とは、異種のものであっても良いし、同種のものであっても良い。
【００２５】
以上、本実施形態によれば、発光装置１００は、可撓性の基材１１０と、基材１１０に設けられた発光部１２０と、基材１１０に設けられ発光部１２０に電流を供給するために発光部１２０から基材１１０の端部に向かって引き出された電極端子部１３、１５と、を有する。電極端子部１３、１５は、それぞれ全体が一体の導電パターンからなる。そして、電極端子部１３、１５を第１の方向に切断した断面内（例えば図１（ｂ）のＣ−Ｃ線に沿って切断した断面内）に複数の開口（空白部１７からなる）が含まれる。よって、電極端子部１３、１５の屈曲性を向上することができるとともに、電極端子部１３、１５の割れを抑制することができる。
【実施例】
【００２６】
（実施例１）
図２（ａ）は実施例１に係る発光装置１００の平面図、図２（ｂ）は図２（ａ）のＢ部の拡大図である。図３は図２（ａ）のＡ−Ａ線に沿った断面図である。本実施例では、上記の実施形態に係る発光装置１００のより具体的な構成の一例を説明する。
【００２７】
図３に示すように、本実施例に係る発光装置１００は、例えば、第１電極１３０と、有機機能層１４０と、第２電極１５０と、絶縁部１７０と、を備えている。
【００２８】
第１電極１３０は、基材１１０の一方の面側（図３における上面側）に配置されている。第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体（導電材料）からなる透明電極である。
【００２９】
有機機能層１４０は、第１電極１３０を基準として基材１１０側とは反対側に配置されている。つまり、有機機能層１４０と基材１１０との間に第１電極１３０が配置されている。有機機能層１４０は、少なくとも発光層を含んで構成されており、単層構造でも積層構造でも良い。
【００３０】
第２電極１５０は、有機機能層１４０を基準として第１電極１３０側とは反対側に配置されている。つまり、第１電極１３０と第２電極１５０との間に有機機能層１４０が配置されている。第２電極１５０は、例えば、Ａｇ、Ａｕ、Ａｌなどの金属（導電材料）の薄膜からなる反射電極である。有機機能層１４０から第２電極１５０側に向かう光を、基材１１０側に向けて反射する。
【００３１】
第１電極１３０と第２電極１５０とのうちの何れか一方が陽極であり、何れか他方が陰極である。陰極を構成する材料と陽極を構成する材料とは、仕事関数が互いに異なっている。
【００３２】
例えば、基材１１０の一方の面（図３における上面）と第１電極１３０の一方の面（図３における下面）とが相互に接している。また、第１電極１３０の他方の面（図３における上面）と有機機能層１４０の一方の面（図３における下面）とが相互に接している。また、有機機能層１４０の他方の面（図３における上面）と第２電極１５０の一方の面（図３における下面）とが相互に接している。ただし、基材１１０と第１電極１３０との間には他の透光性の層が存在していても良い。
【００３３】
絶縁部１７０は、第１電極１３０と第２電極１５０とを相互に絶縁するためのものである。絶縁部１７０は、例えば、第１電極１３０の端部を覆うように基材１１０上に形成されている。絶縁部１７０は、例えば、上側に向けて幅狭となる断面台形状に形成されている。絶縁部１７０は、図３の紙面の手前から奥に向けて延びている。絶縁部１７０は発光部１２０を取り囲むように形成されていることが好ましい。
【００３４】
第１電極１３０と第２電極１５０との接触が抑制されるように、有機機能層１４０はその一端部が少なくとも絶縁部１７０の一方の側面に乗り上げるように形成されている。有機機能層１４０の一端部は絶縁部１７０の上面に乗り上げていても良いし、絶縁部１７０を乗り越えていても良い。
【００３５】
ここで、平面視において第１電極１３０、有機機能層１４０および第２電極１５０が互いに重なっている領域が、発光部１２０を構成している。
【００３６】
第１電極１３０の一端部（図３における右端部）は、有機機能層１４０および第２電極１５０よりも一端側（図３において右側）に伸びている。すなわち、第１電極１３０の一端部は、発光部１２０から基材１１０の端部に向かって引き出されている。第１電極１３０においてこのように引き出された部分は、電極端子部１３１を構成している。電極端子部１３１は、例えば、基材１１０の一方の面上に位置している。
【００３７】
第２電極１５０の一端部（図３における左端部）は、絶縁部１７０の上を乗り越えて、絶縁部１７０の他方の側面よりも外側（図３において左側）に引き出されている。すなわち、第２電極１５０の一端部は、発光部１２０から基材１１０の端部に向かって引き出されている。第２電極１５０においてこのように引き出された部分は、電極端子部１５１を構成している。電極端子部１５１は、例えば、基材１１０の一方の面上に位置している。
【００３８】
ここで、発光装置１００は、封止部材１６０を有している。封止部材１６０は、該封止部材１６０と基材１１０との間に密閉領域３０が形成されるように、基材１１０の一方の面の周縁部に固定されている。
【００３９】
封止部材１６０は、例えば、ガラス、又は樹脂等の材料により構成されている。封止部材１６０は、例えば、凹部を有するトレー状の形状のものであり、その凹部が基材１１０側を向くように配置されている。封止部材１６０の凹部の周囲縁部が、その全周に亘って連続的に、接着剤１６１を介して基材１１０の一方の面の周縁部に固定されている。なお、電極端子部１３１、１５１が形成されている箇所では、封止部材１６０の凹部の周囲縁部は、接着剤１６１を介して電極端子部１３１、１５１に固定されている。
【００４０】
発光部１２０と、絶縁部１７０と、第１電極１３０の電極端子部１３１の一部分と、第２電極１５０の電極端子部１５１の一部分とは、密閉領域３０内に配置されている。有機機能層１４０は、その全体が密閉領域３０内に配置されている。第１電極１３０の電極端子部１３１の残りの一部分、および、第２電極１５０の電極端子部１５１の残りの一部分は、密閉領域３０の外部に引き出されている。
【００４１】
このように、本実施例の場合、電極端子部１３１は、基材１１０の一の辺の近傍に配置され、電極端子部１５１は、基材１１０の一の辺に対向する辺の近傍に配置されている。
【００４２】
電極端子部１３１において密閉領域３０の外部に位置する部分と、電極端子部１５１において密閉領域３０の外部に位置する部分と、の間に電圧を印加することにより、第１電極１３０と第２電極１５０との間に電圧が印加される。これにより、発光領域の有機機能層１４０の発光層が発光する。
【００４３】
有機機能層１４０、第１電極１３０および基材１１０は、いずれも、有機機能層１４０の発光層が発光した光の少なくとも一部を透過する。発光層が発光した光の一部は、図３における基材１１０の下面側から、発光装置１００の外部（光放出空間）に放射される（取り出される）。
【００４４】
図２（ｂ）に示すように、第１電極１３０の電極端子部１３１は、導電材料により全体が一体に形成された実体部１６と、実体部１６に形成された空白部１７を含んで構成されている。第１電極１３０は、例えば、その全体がＩＴＯやＩＺＯなどの金属酸化物導電体からなる。したがって、第１電極１３０の電極端子部１３１は、例えば、ＩＴＯやＩＺＯなどの金属酸化物導電体からなる。このように、発光装置１００は、透明導電膜からなる電極端子部１３１を有している。
【００４５】
同様に、第２電極１５０の電極端子部１５１も、導電材料により全体が一体に形成された実体部１６と、実体部１６に形成された空白部１７と、を含んで構成されている。第２電極１５０は、例えば、その全体がＡｇ、Ａｕ、Ａｌなどの金属からなる。したがって、第２電極１５０の電極端子部１５１は、例えば、Ａｇ、Ａｕ、Ａｌなどの金属からなる。このように、発光装置１００は、金属膜からなる電極端子部１５１を有している。
【００４６】
電極端子部１３１および電極端子部１５１の各々において、空白部１７は、例えば、実体部１６に形成された複数の開口部である。空白部１７の配置は任意であるが、例えば、図２（ｂ）に示すような正方格子状の配置とすることができる。これにより、電極端子部１３１の実体部１６および電極端子部１５１の実体部１６は、それぞれ網目状に形成されている。
【００４７】
次に、本実施例に係る発光装置１００を製造する方法の一例を説明する。
【００４８】
先ず、基材１１０上にスパッタリング法などによりＩＴＯやＩＺＯなどの金属酸化物導電体からなる透光性の導電膜を成膜し、エッチングによりこれをパターニングして第１電極１３０を形成する。このとき、電極端子部１３１は実体部１６と空白部１７とを含む網目状となるようにパターニングする。
【００４９】
次に、基材１１０上および第１電極１３０上に感光性の絶縁膜、例えばポリイミド膜を形成し、この絶縁膜を露光及び現像する。これにより、絶縁部１７０を形成する。
【００５０】
次に、第１電極１３０上に有機材料を塗布することにより有機機能層１４０を形成する。
【００５１】
次に、有機機能層１４０上、絶縁部１７０上および基材１１０上に、マスクを用いた蒸着法などによりＡｇ、Ａｕ、Ａｌなどの金属材料を所望のパターンに堆積させて、第２電極１５０を形成する。このとき、電極端子部１５１は実体部１６と空白部１７とを含む網目状となるようにパターニングする。
【００５２】
こうして、基材１１０上に発光部１２０が形成される。
【００５３】
次に、封止部材１６０の凹部の周囲縁部を、接着剤１６１を介して基材１１０の周縁部に対して固定（部分的に、電極端子部１３１および１５１に対して固定）し、封止部材１６０と基材１１０との間に形成される密閉領域３０内に発光部１２０を封止する。
【００５４】
こうして、図２（ａ）および図３に示される発光装置１００が得られる。
【００５５】
次に、有機機能層１４０の層構造の例について説明する。
【００５６】
図４は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機エレクトロルミネッセンス発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
【００５７】
この例において、発光層１４３は、例えば赤色の光を発光する層、青色の光を発光する層又は緑色の光を発光する層である。この場合、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、発光部１２０は白色等の単一の発光色で発光する。
【００５８】
なお、発光層１４３は、複数の色を発光するための材料を混ぜることにより、白色等の単一の発光色で発光するように構成されていても良い。
【００５９】
図５は有機機能層１４０の層構造の第２例を示す断面図である。この有機機能層１４０の発光層１４３は、発光層１４３ａ、１４３ｂ、１４３ｃをこの順に積層した構成を有している。発光層１４３ａ、１４３ｂ、１４３ｃは、互いに異なる色の光（例えば赤、緑、及び青）を発光する。そして発光層１４３ａ、１４３ｂ、１４３ｃが同時に発光することにより、発光部１２０は白色等の単一の発光色で発光する。なお、発光層は３層構造に限られない。
【００６０】
本実施例によっても、上記の実施形態と同様の効果が得られる。
すなわち、発光装置１００は、可撓性の基材１１０と、基材１１０に設けられた発光部１２０と、基材１１０に設けられ発光部１２０に電流を供給するために発光部１２０から基材１１０の端部に向かって引き出された電極端子部１３１、１５１と、を有する。電極端子部１３１、１５１は、それぞれ全体が一体の導電パターンからなる。そして、電極端子部１３１、１５１をそれぞれ第１の方向に切断した断面内に複数の開口が含まれる。よって、電極端子部１３１、１５１の屈曲性を向上することができるとともに、電極端子部１３１、１５１の割れを抑制することができる。
【００６１】
（実施例２）
図６は実施例２に係る発光装置１００の平面図である。図７（ａ）は図６のＡ−Ａ線に沿った断面図、図７（ｂ）は図６のＢ−Ｂ線に沿った断面図である。本実施例に係る発光装置１００は、以下に説明する点で、上記の実施例１に係る発光装置１００と相違し、その他の点では、上記の実施例１に係る発光装置１００と同様に構成されている。
【００６２】
上記の実施例１では、基材１１０の対向する２辺のうち、一方に沿って電極端子部１３１が配置され、他方に沿って電極端子部１５１が配置されている例を説明した。これに対し、本実施例の場合、図６に示すように、基材１１０の対向する２辺の各々に沿って、それぞれ電極端子部１５１が配置され、残りの対向する２辺の各々に沿って、それぞれ電極端子部１３１が配置されている。
【００６３】
図７（ａ）に示すように、絶縁部１７０は、少なくとも基材１１０の対向する２辺に沿って配置されている。絶縁部１７０は発光部１２０を取り囲むように形成されていることが好ましい。
【００６４】
第１電極１３０と第２電極１５０との接触が抑制されるように、有機機能層１４０は互いに対向する端部がそれぞれ絶縁部１７０の一方の側面に乗り上げるように形成されている。有機機能層１４０の端部は絶縁部１７０の上面に乗り上げていても良いし、絶縁部１７０を乗り越えていても良い。
【００６５】
第２電極１５０の互いに対向する端部（図７（ａ）における右端部および左端部）は、それぞれ絶縁部１７０の上を乗り越えて、絶縁部１７０よりも外側（図７（ａ）において右側および左側）に引き出されている。すなわち、第２電極１５０の互いに対向する端部は、それぞれ発光部１２０から基材１１０の端部に向かって引き出されている。第２電極１５０においてこのように引き出された部分は、それぞれ電極端子部１５１を構成している。これら電極端子部１５１は、実施例１と同様に、実体部１６と空白部１７とを含む網目状に形成されている。
【００６６】
また、第１電極１３０の互いに対向する端部（図７（ｂ）における右端部および左端部）は、それぞれ有機機能層１４０および第２電極１５０よりも外側（図７（ｂ）において右側および左側）に伸びている。すなわち、第１電極１３０の互いに対向する端部は、それぞれ発光部１２０から基材１１０の端部に向かって引き出されている。第１電極１３０においてこのように引き出された部分は、それぞれ電極端子部１３１を構成している。これら電極端子部１３１は、実施例１と同様に、実体部１６と空白部１７とを含む網目状に形成されている。
【００６７】
本実施例によっても、上記の実施例１と同様の効果が得られる。
【００６８】
（実施例３）
図８は実施例３に係る発光装置１００の電極端子部１３１、１５１の平面図である。本実施例に係る発光装置１００は、以下に説明する点で、上記の実施例１または実施例２に係る発光装置１００と相違し、その他の点では、上記の実施例１または実施例２に係る発光装置１００と同様に構成されている。
【００６９】
上記においては、電極端子部１３１および電極端子部１５１が網目状である例を説明したが、本実施例の場合、電極端子部１３１および電極端子部１５１がストライプ状に形成されている。例えば、空白部１７は一方向に長尺な開口であり、複数の空白部１７が互いに並列となるように配置されている。例えば図８のＣ−Ｃ線に沿って電極端子部１３１、１５１を切断した断面内には、それぞれ複数の開口が含まれる。
【００７０】
本実施例によっても、上記の実施例１および実施例２と同様の効果が得られる。
なお、本実施例の場合、電極端子部１３１および電極端子部１５１は、空白部１７の長手方向に沿って折り目が形成される方向への屈曲性が高くなる。
【００７１】
（実施例４）
図９は実施例４に係る発光装置１００の平面図である。本実施例に係る発光装置１００は、以下に説明する点で、上記の実施例２に係る発光装置１００と相違し、その他の点では、上記の実施例２に係る発光装置１００と同様に構成されている。
【００７２】
本実施例の場合、電極端子部１３１および電極端子部１５１は、上記の実施例３と同様に、ストライプ状に形成されている。
そして、基材１１０の互いに対向する辺に沿って配置された電極端子部における空白部１７の長手方向が互いに一致している。すなわち、一対の電極端子部１５１における空白部１７の長手方向が互いに一致しているとともに、一対の電極端子部１３１における空白部１７の長手方向が互いに一致している。
ただし、電極端子部１５１における空白部１７の長手方向と、電極端子部１３１における空白部１７の長手方向とが互いに異なっており、具体的には互いに直交している。
より具体的には、各電極端子部１３１の空白部１７の長手方向は、各電極端子部１３１が配置されている基材１１０の辺に対して直交する方向となっている。同様に、各電極端子部１５１の空白部１７の長手方向は、各電極端子部１５１が配置されている基材１１０の辺に対して直交する方向となっている。
【００７３】
本実施例の場合、封止部材１６０の配置領域において、図９における左右方向への屈曲性と、左右方向に対して直交する方向への屈曲性と、を向上することができる。本実施例によれば、その他、上記の実施例２と同様の効果が得られる。
【００７４】
（実施例５）
図１０は実施例５に係る発光装置１００の平面図である。本実施例に係る発光装置１００は、以下に説明する点で、上記の実施例４に係る発光装置１００と相違し、その他の点では、上記の実施例４に係る発光装置１００と同様に構成されている。
【００７５】
本実施例の場合も、電極端子部１３１および電極端子部１５１は、ストライプ状に形成されている。ただし、本実施例の場合、すべての電極端子部における空白部１７の長手方向が一致している。
例えば、各電極端子部１５１の空白部１７の長手方向は、各電極端子部１５１が配置されている基材１１０の辺に対して直交する方向となっている。また、各電極端子部１３１の空白部１７の長手方向は、各電極端子部１３１が配置されている基材１１０の辺に対して平行な方向となっている。
【００７６】
本実施例の場合、発光装置１００の全体において、図１０における左右方向への屈曲性を向上することができる。本実施例によれば、その他、上記の実施例２と同様の効果が得られる。
【００７７】
（実施例６）
図１１（ａ）は実施例６に係る発光装置１００の電極端子部１３１、１５１の平面図である。本実施例に係る発光装置１００は、以下に説明する点で、上記の実施例１〜５に係る発光装置１００と相違し、その他の点では、上記の実施例１〜５に係る発光装置１００と同様に構成されている。
【００７８】
本実施例の場合、電極端子部１３１、１５１は櫛歯状に形成されている。すなわち、電極端子部１３１には、切欠形状の複数の空白部１７が形成され、これら空白部１７は互いに平行に延在している。同様に、電極端子部１５１には、切欠形状の複数の空白部１７が形成され、これら空白部１７は互いに平行に延在している。例えば図１１（ａ）のＣ−Ｃ線に沿って電極端子部１３１、１５１を切断した断面内には、それぞれ複数の開口が含まれる。
【００７９】
本実施例の場合も、電極端子部１３１、１５１がストライプ状の場合と同様の屈曲性が得られる。本実施例によれば、その他、上記の実施例１〜５と同様の効果が得られる。
【００８０】
（実施例７）
図１１（ｂ）は実施例７に係る発光装置１００の電極端子部１３１、１５１の平面図である。本実施例に係る発光装置１００は、以下に説明する点で、上記の実施例１〜５に係る発光装置１００と相違し、その他の点では、上記の実施例１〜５に係る発光装置１００と同様に構成されている。
【００８１】
本実施例の場合、電極端子部１３１、１５１は、交互に櫛歯の向きが異なっている櫛歯状に形成されている。電極端子部１３１には、クランク状の開口である空白部１７が形成されている。同様に、電極端子部１５１には、クランク状の開口である空白部１７が形成されている。例えば図１１（ｂ）のＣ−Ｃ線に沿って電極端子部１３１、１５１を切断した断面内には、それぞれ複数の開口が含まれる。
【００８２】
本実施例の場合も、電極端子部１３１、１５１がストライプ状の場合と同様の屈曲性が得られる。本実施例によれば、その他、上記の実施例１〜５と同様の効果が得られる。
【００８３】
（実施例８）
図１２（ａ）は実施例８に係る発光装置１００の電極端子部１３１、１５１の平面図である。本実施例に係る発光装置１００は、以下に説明する点で、上記の実施例１〜５に係る発光装置１００と相違し、その他の点では、上記の実施例１〜５に係る発光装置１００と同様に構成されている。
【００８４】
本実施例の場合、電極端子部１３１、１５１は、斜めの網目状に形成されている。電極端子部１３１、１５１には、複数の空白部１７が千鳥格子状の配置で形成されている。例えば図１２（ａ）のＣ−Ｃ線に沿って電極端子部１３１、１５１を切断した断面内には、それぞれ複数の開口が含まれる。
【００８５】
本実施例の場合、電極端子部１３１、１５１が網目状の場合と同様に、全方向において同等の屈曲性が得られる。本実施例によれば、その他、上記の実施例１〜５と同様の効果が得られる。
【００８６】
（実施例９）
図１２（ｂ）は実施例９に係る発光装置１００の電極端子部１３１、１５１の平面図である。本実施例に係る発光装置１００は、以下に説明する点で、上記の実施例１〜５に係る発光装置１００と相違し、その他の点では、上記の実施例１〜５に係る発光装置１００と同様に構成されている。
【００８７】
本実施例の場合、電極端子部１３１、１５１は、ハニカム状に形成されている。すなわち、電極端子部１３１、１５１には、それぞれ六角形状の複数の空白部１７が千鳥格子状の配置で形成されている。例えば図１２（ｂ）のＣ−Ｃ線に沿って電極端子部１３１、１５１を切断した断面内には、それぞれ複数の開口が含まれる。
【００８８】
本実施例の場合、電極端子部１３１、１５１が網目状や斜めの網目状の場合と同様に、全方向において同等の屈曲性が得られる。本実施例によれば、その他、上記の実施例１〜５と同様の効果が得られる。
【００８９】
（実施例１０）
図１３は実施例１０に係る発光装置１００の平面図である。図１４（ａ）は図１３のＡ−Ａ線に沿った断面図、図１４（ｂ）は図１３のＢ−Ｂ線に沿った断面図である。本実施例に係る発光装置１００は、以下に説明する点で、上記の実施例１〜９に係る発光装置１００と相違し、その他の点では、上記の実施例１〜９に係る発光装置１００と同様に構成されている。
【００９０】
上記においては、基材１１０の一の辺に沿って、１つの電極端子部１３１または電極端子部１５１が配置されている例を説明した。これに対し、本実施例では、基材１１０の一の辺に沿って複数の電極端子部１３１、１５１が配置されている。
【００９１】
例えば、図１３、図１４（ａ）、（ｂ）に示すように、基材１１０の対向する２辺の各々に沿って、電極端子部１３１と電極端子部１５１とが１つずつ配置されている。ここで、図１３に示すように、電極端子部１３１と電極端子部１５１とが対向するように配置されていることが好ましい。
【００９２】
ここで、図１４（ａ）および（ｂ）に示すように、電極端子部（第１の電極端子部）１３１は、第１電極１３０において発光部１２０に位置する部分（第１の電極）に接続されている。同様に、電極端子部（第２の電極端子部）１５１は、第２電極１５０において発光部１２０に位置する部分（第２の電極）に接続されている。そして、電極端子部（第１の電極端子部）１３１と電極端子部（第２の電極端子部）１５１とが基材１１０の一の辺に沿って配置されている。
【００９３】
本実施例によれば、発光部１２０は第１の電極（第１電極１３０において発光部１２０に位置する部分）と第２の電極（第２電極１５０において発光部１２０に位置する部分）とを有している。そして、第１の電極に接続された第１の電極端子部（電極端子部１３１）と、第２の電極に接続された第２の電極端子部（電極端子部１５１）と、が基材１１０の一の辺に沿って配置されている。よって、基材１１０の一の辺から、第１の電極および第２の電極に対してそれぞれ電力を供給することができる。
本実施例によれば、その他、実施例１〜９と同様の効果が得られる。
【００９４】
（実施例１１）
図１５は実施例１１に係る発光装置１００の平面図である。本実施例に係る発光装置１００は、以下に説明する点で、上記の実施例１０に係る発光装置１００と相違し、その他の点では、上記の実施例１０に係る発光装置１００と同様に構成されている。
【００９５】
本実施例の場合、基材１１０の４つの辺の各々に沿って、電極端子部１３１と電極端子部１５１とが１つずつ配置されている。ここで、図１５に示すように、電極端子部１３１と電極端子部１５１とが対向するように配置されていることが好ましい。
【００９６】
なお、図１４（ａ）は、図１５のＡ−Ａ線に沿った断面、および、図１５のＣ−Ｃ線に沿った断面を示している。また、図１４（ｂ）は、図１５のＢ−Ｂ線に沿った断面、および、図１５のＤ−Ｄ線に沿った断面を示している。
【００９７】
本実施例によっても、実施例１０と同様の効果が得られる。
【００９８】
以上、図面を参照して実施形態及び実施例について述べたが、これらは本発明の例示であり、上記以外の様々な構成を採用することもできる。
【００９９】
例えば、上記の各実施例では、発光部１２０と封止部材１６０との間に隙間が存在する中空型の封止構造を例示したが、発光部１２０と封止部材１６０との間に隙間が存在していなくても良い。この場合、封止部材１６０は、例えば樹脂により構成することができる。
【符号の説明】
【０１００】
１３ 電極端子部
１５ 電極端子部
１７ 空白部（開口を構成する）
１００ 発光装置
１１０ 基材
１２０ 発光部
１３０ 第１電極
１３１ 電極端子部
１５０ 第２電極
１５１ 電極端子部
【図１】
2015053182.tif 000003
【図２】
2015053182.tif 000004
【図３】
2015053182.tif 000005
【図４】
2015053182.tif 000006
【図５】
2015053182.tif 000007
【図６】
2015053182.tif 000008
【図７】
2015053182.tif 000009
【図８】
2015053182.tif 000010
【図９】
2015053182.tif 000011
【図１０】
2015053182.tif 000012
【図１１】
2015053182.tif 000013
【図１２】
2015053182.tif 000014
【図１３】
2015053182.tif 000015
【図１４】
2015053182.tif 000016
【図１５】
2015053182.tif 000017